(57)【要約】  腎癌を検出する方法、及び前記方法に利用できる試薬を提供することを課題とする。患者由来の検体中のＴＦＰＩ２量を測定することを特徴とする、腎癌を検出する方法。また、ＮＴ−ＴＦＰＩ２及びインタクトＴＦＰＩ２を特異的に認識する抗体を腎癌の検出試薬に含める。
2019142636.tif 000002
【特許請求の範囲】
【請求項１】
検体において、ＴＦＰＩ２量を測定することを含む、腎癌を検出する方法。
【請求項２】
前記ＴＦＰＩ２量の測定値が、予め設定した基準値を超えた場合に、腎癌が検出されたとする、請求項１に記載の方法。
【請求項３】
前記ＴＦＰＩ２量が、ＴＦＰＩ２プロセシングポリペプチド量及びインタクトＴＦＰＩ２量の合計である、請求項１又は請求項２に記載の方法。
【請求項４】
前記ＴＦＰＩ２量の測定が、配列番号１のアミノ酸配列の２３残基目のアスパラギン酸から１３１残基目のヒスチジン又は１３０残基目のシステインまでの領域内の抗原決定基に結合する抗体を用いた抗原抗体反応により行われるものである、請求項１〜３のいずれか一項に記載の方法。
【請求項５】
前記抗体が、ＴＦＰＩ２のクニッツドメイン１を認識する抗体である、請求項４に記載の方法。
【請求項６】
質量分析法を用いて測定を行う、請求項１〜３のいずれか一項に記載の方法。
【請求項７】
配列番号１に示すアミノ酸配列の２３残基目のアスパラギン酸から１３１残基目のヒスチジン又は１３０残基目のシステインまでの領域内の抗原決定基に結合する抗体を含む、腎癌を検出するための試薬。
【発明の詳細な説明】
【技術分野】
【０００１】
本発明は、組織因子経路インヒビター２（Ｔｉｓｓｕｅ  Ｆａｃｔｏｒ  Ｐａｔｈｗａｙ  Ｉｎｈｉｂｉｔｏｒ  ２；ＴＦＰＩ２）を測定対象とする腎癌の検出方法及び検出試薬に関する。
【背景技術】
【０００２】
膀胱癌を除く腎・尿路癌の推定罹患率は人口１０万人当たり１９．５人（国立がん研究センターがん対策情報センター２０１３年）とされ、近年増加傾向にある。腎癌は自覚症状に乏しいため、検診や人間ドック等で偶発的に発見されることが多く、早期発見が困難な癌とされている。
腎癌の治療は原則外科的切除であるが、薬物療法として血管新生を阻害するチロシンキナーゼ阻害剤（ＴＫＩ）、ｍＴＯＲ阻害剤などの分子標的薬、並びに、免疫チェックポイント阻害剤等が適宜用いられている。【０００３】
腎癌の血液検査は赤血球沈降速度を定量する赤沈、ＣＲＰ（Ｃ−ｒｅａｃｔｉｖｅ  ｐｒｏｔｅｉｎ）、及びＩＡＰ（Ｉｍｍｕｎｏｓｕｐｐｒｅｓｓｉｖｅ Ａｃｉｄｉｃ Ｐｒｏｔｅｉｎ）等が存在する。しかし、これらはいずれも癌により間接的に誘発される炎症反応から生じる因子を対象としており、腫瘍マーカーとしての有用性は決定的なものではない。そのため、現在は超音波検査、CTやＭＲＩによる画像診断が最も有効な検査法と位置付けられている。しかし、ＣＴは放射線被曝が懸念されており、画像診断によって生じる患者負担は決して低いものではない。したがって、より簡便かつ患者負担の少ない血液検査による腎癌検出方法が切望されている。【０００４】
ところで、組織因子経路インヒビター２（ＴＦＰＩ２）は、胎盤タンパク質５（Ｐｌａｃｅｎｔａｌ  Ｐｒｏｔｅｉｎ  ５；ＰＰ５）と同一のタンパク質であり、３つのクニッツ型プロテアーゼインヒビタードメインを含む胎盤由来セリンプロテアーゼインヒビターである。ＴＦＰＩ２と癌との関連は、本発明者の荒川らはＴＦＰＩ２が卵巣癌では明細胞癌細胞株から特異的に産生されること、卵巣癌患者組織における遺伝子発現は明細胞癌患者のみで特異的に向上することを明らかにし（特許文献１）、血中ＴＦＰＩ２は健常人及び子宮内膜症例と比較して明細胞癌で有意に向上していることを見出した（特許文献２、非特許文献１）。また、ＴＦＰＩ２の測定を行うことにより卵巣明細胞癌を検出する方法も開示されている（特許文献３、非特許文献２）。【０００５】
ＴＦＰＩ２と腎癌との関連は、緑茶に含まれるエピガロカテキンガレート（ＥＣＧＣ）の添加によってヒト腎癌細胞株中のＴＦＰＩ２発現量が増加し、細胞増殖を抑制しアポトーシスを誘導することが示唆されている（非特許文献３）。しかし今日まで、腎癌におけるＴＦＰＩ２の血中動態に関する報告はなく、ＴＦＰＩ２が腎癌の検出に適用できるか不明であった。
【先行技術文献】
【特許文献】
【０００６】
【特許文献１】特許第５２２４３０９号
【特許文献２】特許第６０７４６７６号
【特許文献３】国際公開第２０１６／０８４９１２号
【非特許文献】
【０００７】
【非特許文献１】Ｊ． Ｐｒｏｔｅｏｍｅ Ｒｅｓ．， ２０１３， １２ （１０）， ｐｐ ４３４０−４３５０
【非特許文献２】ＰｌｏＳ ｏｎｅ １１．１０ （２０１６）: ｅ０１６５６０９.
【非特許文献３】Ｏｎｃｏｌｏｇｙ ｒｅｐｏｒｔｓ ２１．３ （２００９）: ６３５−６４０.
【発明の概要】
【発明が解決しようとする課題】
【０００８】
本発明は、腎癌の検出方法、及び前記方法に利用できる試薬を提供することを課題とする。
【課題を解決するための手段】
【０００９】
本発明者らは鋭意検討し、ＴＦＰＩ２は複数の腎がん細胞株培養上清に分泌され、血中ＴＦＰＩ２は健常人と比較して腎癌患者で有意に向上することを見出し、ＴＦＰＩ２が腎癌を検出しうることに想到し、本発明を完成させた。【００１０】
すなわち、本発明は、以下の態様を包含する。
［１］検体において、ＴＦＰＩ２量を測定することを含む、腎癌を検出する方法。
［２］前記ＴＦＰＩ２量の測定値が、予め設定した基準値を超えた場合に、腎癌が検出されたとする、［１］に記載の方法。
［３］前記ＴＦＰＩ２量が、ＴＦＰＩ２プロセシングポリペプチド量及びインタクトＴＦＰＩ２量の合計である、［１］又は［２］に記載の方法。
［４］前記ＴＦＰＩ２量の測定が、配列番号１のアミノ酸配列の２３残基目のアスパラギン酸から１３１残基目のヒスチジン又は１３０残基目のシステインまでの領域内の抗原決定基に結合する抗体を用いた抗原抗体反応により行われるものである、［１］〜［３］のいずれかに記載の方法。
［５］前記抗体が、ＴＦＰＩ２のクニッツドメイン１を認識する抗体である、［４］に記載の方法。
［６］質量分析法を用いて測定を行う、［１］〜［３］のいずれかに記載の方法。
［７］配列番号１に示すアミノ酸配列の２３残基目のアスパラギン酸から１３１残基目のヒスチジン又は１３０残基目のシステインまでの領域内の抗原決定基に結合する抗体を含む、腎癌を検出するための試薬。
【発明の効果】
【００１１】
本発明により、腎癌を簡便かつ高い精度で検出する方法、及び前記方法に利用できる試薬が提供される。
【図面の簡単な説明】
【００１２】
【図１】細胞株培養上清中のＴＦＰＩ２量を示した図。第１縦軸はＴＦＰＩ２測定値、第２縦軸は細胞数を表す。
【図２】健常人群と腎癌患者群におけるＴＦＰＩ２測定値をボックスプロット（Ｂｏｘ  Ｐｌｏｔ）にて示した図。縦軸は血中ＴＦＰＩ２量を表す。
【図３】健常人群と腎癌群の受信者動作特性（ＲＯＣ）曲線を示した図。縦軸は感度、横軸は１００％−特異度を表す。
【図４】組織学的悪性度で分類した腎癌群におけるＴＦＰＩ２測定値をボックスプロット（Ｂｏｘ  Ｐｌｏｔ）で示した図。縦軸はＴＦＰＩ２測定値を表す。
【図５】腎癌腫瘍直径とＴＦＰＩ２測定値の相関を示した図。縦軸はＴＦＰＩ２測定値、横軸は腫瘍直径を表す。
【図６】転移の有無で分類した腎癌群におけるＴＦＰＩ２測定値をボックスプロット（Ｂｏｘ  Ｐｌｏｔ）にて示した図。縦軸はＴＦＰＩ２測定値を表す。
【図７】実施例７におけるＴＦＰＩ２測定値をボックスプロットで示した図。
【図８】実施例８におけるＴＦＰＩ２測定値をボックスプロットで示した図。
【図９】実施例８における健常人と腎癌患者を識別するためのＲＯＣ曲線解析の結果を示した図。
【発明を実施するための形態】
【００１３】
＜１＞本発明の腎癌を検出する方法
本発明の第一の態様は、腎癌を検出する方法であり、検体においてＴＦＰＩ２量を測定することを含む。これは、健常な検体と比べて、腎癌の血液等の生体試料中に特徴的にＴＦＰＩ２が存在することに基づく方法である。検体におけるＴＦＰＩ２量の測定は、通常インビトロ（ｉｎ ｖｉｔｒｏ）で行われる。この方法により、後述する実施例が示す通り、高い感度と特異度で腎癌を検出することができる。
なお、本発明の方法は、腎癌を検出する段階までを含むものであり、腎癌の診断に関する最終的な判断行為は含まれない。医師は、本発明の方法による検出結果等を参照して、腎癌を診断したり治療方針を立てたりする。
【００１４】
本発明において測定されるＴＦＰＩ２は、特に限定はなく、例えばインタクトＴＦＰＩ２（以降、「Ｉ−ＴＦＰＩ２」とも記す）、ＴＦＰＩ２プロセシングポリペプチド（以降、「ＮＴ−ＴＦＰＩ２」とも記す）、又はそれらの両方であってもよい。
【００１５】
配列番号１に、ヒトＴＦＰＩ２のｃＤＮＡに基づくアミノ酸配列を示す。配列番号１において、開始メチオニンから２２残基目のグリシンまではシグナルペプチドである。
「インタクトＴＦＰＩ２」とは、配列番号１のアミノ酸配列の２３残基目から２３５残基目で表されるペプチドをいう。
また、「ＮＴ−ＴＦＰＩ２」は、特許文献３に記載されるように、インタクトＴＦＰＩ２のＮ末端側に位置するクニッツドメイン１を含むペプチド断片をいう。より具体的には、ＮＴ−ＴＦＰＩ２は、配列番号１のアミノ酸配列の２３残基目のアスパラギン酸から１３１残基目のヒスチジン又は１３０残基目のシステインまでの配列を少なくとも含むペプチド、または、前記配列と８０％以上の同一性を有するアミノ酸配列を含むペプチドである。前記同一性は、好ましくは９０％以上、より好ましくは９５％以上である。また、このポリペプチドは、前記配列において１又は数個のアミノ酸が欠失、置換、挿入、及び／又は付加されたアミノ酸配列からなるポリペプチドであってもよい。なお、数個とは、好ましくは２〜２０個、より好ましくは２〜１０個、さらに好ましくは２〜５個をいう。また、前記配列の両側に他のペプチドフラグメントを有していてもよいが、ＴＦＰＩ２のクニッツドメイン３を認識する抗体の抗原決定基を有しないことが好ましい。
【００１６】
本発明における患者由来の検体（被検試料）は、全血、血球、血清、血漿などの血液成分、細胞または組織の抽出液、尿、脳脊髄液などが挙げられる。また、腎組織生検サンプルを検査対象としてもよいが、その場合は生検試料の抽出液または培養上清を測定する。血液成分や尿などの体液を検体として用いると、簡便かつ非侵襲的に行うことができるため好ましく、検体採取の容易性、他の検査項目への汎用性を考慮すると、血液成分を検体として用いるのが特に好ましい。検体の希釈倍率は無希釈から１００倍希釈の中から使用する検体の種類や状態に応じて適宜選択すればよい。
【００１７】
また、本発明における検体の採取時期は、特に限定されない。例えば、画像診断等で腎癌疑いとなって精密検査が施行される術前時から、術後の病理検査により腎癌と確定診断後の経過観察時にかけていつでもよく、確定診断前後、治療開始前後など、いずれの段階で採取した検体であっても、本発明の方法に供することができる。
【００１８】
本発明の検出方法では、測定により得たＴＦＰＩ２量が、予め設定した基準値（Ｃｕｔｏｆｆ値）を超えた場合に、腎癌が検出されたと判定することが好ましい。ここで、ＴＦＰＩ２量は、インタクトＴＦＰＩ２量、ＮＴ−ＴＦＰＩ２量、又はインタクトＴＦＰＩ２量及びＮＴ−ＴＦＰＩ２量の合計のいずれでもよいが、インタクトＴＦＰＩ２量及びＮＴ−ＴＦＰＩ２量の合計が測定のしやすさと十分な感度・特異度との両立の観点からより好ましい。
判定に用いる基準値は、測定値もしくは換算濃度値のいずれでもよい。なお、換算濃度値は、ＴＦＰＩ２を標準試料として作成された検量線に基づいて測定値から換算される値をいう。
【００１９】
腎癌と判定する基準値（Ｃｕｔｏｆｆ値）は、健常人と腎癌をそれぞれ測定し、受信者動作特性（ＲＯＣ）曲線解析により最適な感度と特異度を示す測定値に適宜設定することができる。例えば、ＴＦＰＩ２の基準値は後述の実施例で示す通り血漿の場合は２１９ ｐｇ／ｍＬ、血清の場合は１８９ｐｇ／ｍＬまたは２００ｐｇ／ｍＬと設定してもよいがその限りではない。
【００２０】
以降、ＴＦＰＩ２の測定方法について説明する。
本発明において、検体中のＮＴ−ＴＦＰＩ２量又はインタクトＴＦＰＩ２量を個別に測定してもよく、またその値を合計して合計量としてもよい。また、検体中のＮＴ−ＴＦＰＩ２とインタクトＴＦＰＩ２の合計量を一度に測定できる測定系で測定してもよい。あるいは、後述するように、両方の測定による合計量とインタクトＴＦＰＩ２単独の測定量とから間接的にＮＴ−ＴＦＰＩ２量を測定してもよい。
本発明の方法において、ＮＴ−ＴＦＰＩ２量及び／又はインタクトＴＦＰＩ２量を測定する方法は特に制限されない。例えば、ＮＴ−ＴＦＰＩ２及び／又はインタクトＴＦＰＩ２を認識する抗体を用いる抗原抗体反応を利用した方法や、質量分析法を利用した方法が例示できる。
【００２１】
（ａ）標識した測定対象及び測定対象を認識する抗体を用い、標識した測定対象及び検体に含まれる測定対象が、前記抗体に競合的に結合することを利用した競合法。
（ｂ）測定対象を認識する抗体を固定化したチップに検体を接触させ、当該抗体と測定対象との結合に依存したシグナルを検出する表面プラズモン共鳴を用いた方法。
（ｃ）蛍光標識した測定対象を認識する抗体を用い、当該抗体と測定対象とが結合することで蛍光偏光度が上昇することを利用した蛍光偏光免疫測定法。
（ｄ）エピトープの異なる２種類の、測定対象を認識する抗体（うち１つは標識した抗体）を用い、当該２つの抗体と測定対象との３者の複合体を形成させるサンドイッチ法。
（ｅ）前処理として測定対象を認識する抗体により検体中の測定対象を濃縮後、その結合タンパクのポリペプチドを質量分析装置等により検出する方法。
（ｄ）、（ｅ）の方法が簡便かつ汎用性が高いが、多検体を処理する上では（ｄ）の方法が試薬及び装置に関する技術が十分確立されている点でより好ましい。
【００２２】
抗原抗体反応を利用してＮＴ−ＴＦＰＩ２量及び／又はインタクトＴＦＰＩ２量を測定する方法は、具体的に以下のものが挙げられる。
（Ａ）ＮＴ−ＴＦＰＩ２とインタクトＴＦＰＩ２の両方を認識する抗体を用いて、ＮＴ−ＴＦＰＩ２及びインタクトＴＦＰＩ２の合計量を測定する方法（ＮＴ＋Ｉ−ＴＦＰＩ２測定系）。なお、前記ＮＴ−ＴＦＰＩ２とインタクトＴＦＰＩ２の両方を認識する抗体は、配列番号１で表されるＴＦＰＩ２アミノ酸配列の２３残基目のアスパラギン酸から１３１残基目のヒスチジン又は１３０残基目のシステインまでの領域内の抗原決定基に結合する抗体であることが好ましく、ＴＦＰＩ２のクニッツドメイン１に対する抗原認識部位を有する抗体であることがさらに好ましい。また、この方法で前述したサンドイッチ法を用いる場合は、通常、前記抗体はエピトープの異なる２種類を用いる。
【００２３】
（Ｂ）ＮＴ−ＴＦＰＩ２を認識せずインタクトＴＦＰＩ２を認識する抗体を用いて、インタクトＴＦＰＩ２単独の量を測定する方法（Ｉ−ＴＦＰＩ２測定系）。なお、前記ＮＴ−ＴＦＰＩ２を認識せずインタクトＴＦＰＩ２を認識する抗体は、ＴＦＰＩ２のクニッツドメイン３に対する抗原認識部位を有する抗体であること好ましい。また、この方法で前述したサンドイッチ法を用いる場合は、通常、前記抗体はエピトープの異なる２種類を用い、うち少なくとも１種類はＮＴ−ＴＦＰＩ２を認識せずインタクトＴＦＰＩ２を認識する抗体を用い、もう１種類はＮＴ−ＴＦＰＩ２を認識せずインタクトＴＦＰＩ２を認識する抗体であってもＮＴ−ＴＦＰＩ２とインタクトＴＦＰＩ２の両方を認識する抗体であってもよい。
【００２４】
（Ｃ）（Ａ）のＮＴ＋Ｉ−ＴＦＰＩ２測定系で測定したＮＴ−ＴＦＰＩ２及びインタクトＴＦＰＩ２の合計量から、（Ｂ）のＩ−ＴＦＰＩ２測定系で測定したインタクトＴＦＰＩ２単独量を減じることにより、ＮＴ−ＴＦＰＩ２単独の量を算出する方法。
（Ｄ）インタクトＴＦＰＩ２を認識せずＮＴ−ＴＦＰＩ２を認識する抗体を用いて、ＮＴ−ＴＦＰＩ２単独の量を測定する方法。なお、前記インタクトＴＦＰＩ２を認識せずＮＴ−ＴＦＰＩ２を認識する抗体は、例えば、ＮＴ−ＴＦＰＩ２のＣ末端部分のペプチド配列を特異的に認識する抗体が挙げられる。前述したサンドイッチ法を用いる場合は、例えば、当該抗体を固相抗体とし、クニッツドメイン１に対する認識部位を有する抗体を検出抗体とする。
【００２５】
本発明の腎癌を検出する方法においては、前述した（Ｃ）や（Ｄ）の方法で測定したＮＴ−ＴＦＰＩ２単独の量を判定の基準に用いてもよいが、（Ａ）の方法で測定したＮＴ−ＴＦＰＩ２及びインタクトＴＦＰＩ２の合計量を判定の基準に用いても十分な感度と特異度が得られるうえ、抗体の取得しやすさや測定が一段階で簡便なことから、後者がより好ましい。
【００２６】
ＮＴ−ＴＦＰＩ２及び／又はインタクトＴＦＰＩ２を認識する抗体は、ＮＴ−ＴＦＰＩ２ポリペプチドまたはタンパク質、インタクトＴＦＰＩ２ポリペプチド又はＴＦＰＩ２タンパク質の部分領域からなるオリゴペプチド、ＮＴ−ＴＦＰＩ２ポリペプチド又はＴＦＰＩ２タンパク質のインタクトまたは部分領域をコードするポリヌクレオチドなどを免疫原として、動物に免疫することで得ることができる。前記タンパク質または前記オリゴペプチドやポリペプチドは生体内のＴＦＰＩ２の立体構造を反映していない、あるいは調製する過程でその構造が変化する可能性がある。そのため、得られた抗体が、所望の生体内のＴＦＰＩ２に対して高い特異性や結合力を有さない可能性があり、本抗体を用いて測定系を構築しても結果として検体中に含まれるＴＦＰＩ２濃度を正確に定量できなくなる可能性がある。
一方、免疫原としてＴＦＰＩ２ポリペプチド又はインタクトＴＦＰＩ２タンパク質のインタクトまたは部分領域をコードするポリヌクレオチドを含む発現ベクターを用いることで、免疫動物の体内でＴＦＰＩ２ポリペプチド又はインタクトＴＦＰＩ２タンパク質のインタクトまたは部分領域が発現され免疫応答が惹起されるため、検体中のＴＦＰＩ２に対して高い特異性及び結合力（すなわち高親和性）を有した抗体が得られるためより好ましい。
免疫に用いる動物は、抗体産生能を有するものであれば特に限定はなく、マウス、ラット、ウサギなど通常免疫に用いる哺乳動物でもよいし、ニワトリなど鳥類を用いてもよい。
【００２７】
さらに、血中にはＴＦＰＩ２の相同体として知られるＴＦＰＩ１も存在する。したがって、ＴＦＰＩ１と交叉せずＴＦＰＩ２のみを特異的に認識する抗体を用いることが望ましい。
【００２８】
本発明の別の側面は、ＴＦＰＩ２量を測定する試薬の、腎癌を検出するための試薬の製造における使用である。ここで、前記ＴＦＰＩ２量を測定する試薬は、ＴＦＰＩ２プロセシングポリペプチド量及びインタクトＴＦＰＩ２量の合計を測定する試薬であることが好ましい。また、前記ＴＦＰＩ２量を測定する試薬は、好ましくは配列番号１のアミノ酸配列の２３残基目のアスパラギン酸から１３１残基目のヒスチジン又は１３０残基目のシステインまでの領域内の抗原決定基に結合する抗体であり、より好ましくはＴＦＰＩ２のクニッツドメイン１を認識する抗体である。
したがって、本発明は、配列番号１に示すアミノ酸配列の２３残基目のアスパラギン酸から１３１残基目のヒスチジン又は１３０残基目のシステインまでの領域内の抗原決定基に結合する抗体の、腎癌を検出するための試薬の製造における使用ともいうことができる。
また、本発明は、配列番号１に示すアミノ酸配列の２３残基目のアスパラギン酸から１３１残基目のヒスチジン又は１３０残基目のシステインまでの領域内の抗原決定基に結合する抗体の、腎癌の検出における使用ともいうことができる。
【００２９】
ＴＦＰＩ２を認識する抗体は、モノクローナル抗体であってもよく、ポリクローナル抗体であってもよいが、モノクローナル抗体であるのが好ましい。
ＴＦＰＩ２を認識する抗体を産生するハイブリドーマ細胞の樹立は、技術が確立された方法の中から適宜選択して行えばよい。一例として、前述した方法で免疫した動物からＢ細胞を採取し、前記Ｂ細胞とミエローマ細胞とを電気的にまたはポリエチレングリコール存在下で融合させ、ＨＡＴ培地により所望の抗体を産生するハイブリドーマ細胞の選択を行ない、選択したハイブリドーマ細胞を限界希釈法によりモノクローン化を行なうことで、ＴＦＰＩ２を認識するモノクローナル抗体を産生するハイブリドーマ細胞を樹立することができる。
【００３０】
本発明で用いるＴＦＰＩ２を認識するモノクローナル抗体の選定は、宿主発現系に由来する、ＧＰＩ（ｇｌｙｃｏｓｙｌｐｈｏｓｐｈａｔｉｄｙｌｉｎｏｓｉｔｏｌ）アンカー型ＴＦＰＩ２または分泌型ＴＦＰＩ２に対する親和性に基づいて行えばよい。
なお、前記宿主としては特に限定はなく、当業者がタンパク質の発現に通常用いる、大腸菌や酵母などの微生物細胞、昆虫細胞、動物細胞の中から適宜選択すればよいが、ジスルフィド結合もしくは糖鎖付加といった翻訳後修飾により、天然型のＴＦＰＩ２に近い構造を有するタンパク質の発現が可能な、哺乳細胞を宿主として用いると好ましい。哺乳細胞の一例としては、従来用いられている、ヒト胎児腎臓由来細胞（ＨＥＫ）２９３Ｔ細胞株、サル腎臓細胞ＣＯＳ７株、チャイニーズハムスター卵巣（ＣＨＯ）細胞またはヒトから単離された癌細胞などが挙げられる。
【００３１】
本発明で用いられる抗体の精製は、技術が確立された方法の中から適宜選択して行えばよい。一例として、前述した方法で樹立した、抗体を産生するハイブリドーマ細胞を培養後、その培養上清を回収し、必要に応じ硫酸アンモニウム沈殿による抗体濃縮後、プロテインＡ、プロテインＧ、またはプロテインＬなどを固定化した担体を用いたアフィニティークロマトグラフィー及び／またはイオン交換クロマトグラフィーにより、抗体の精製が可能である。
なお、前述したサンドイッチ法で抗原抗体反応を行なう際に用いる標識した抗体は、前述した方法で精製した抗体をペルオキシダーゼやアルカリ性ホスファターゼなどの酵素で標識すればよく、その標識も技術が十分確立された方法を用いて行なえばよい。
【００３２】
本発明の方法において、質量分析法を利用してＴＦＰＩ２量を測定する方法について、以下に具体的に説明する。
検体が血液である場合は、前処理工程として血液に多く含まれるアルブミン、イムノグロブリン、トランスフェリン等の主要タンパク質をＡｇｉｌｅｎｔ  Ｈｕｍａｎ  １４等で除去した後、イオン交換、ゲル濾過または逆相ＨＰＬＣ等でさらに分画することが好ましい。または、抗ＴＦＰＩ２抗体を用いた免疫的手法によりＴＦＰＩ２のみを特異的に回収することも可能である。
【００３３】
測定は、タンデム質量分析（ＭＳ／ＭＳ）、液体クロマトグラフィ・タンデム質量分析（ＬＣ／ＭＳ／ＭＳ）、マトリックス支援レーザー脱離イオン化飛行時間型質量分析（ｍａｔｒｉｘ  ａｓｓｉｓｔｅｄ  ｌａｓｅｒ  ｄｅｓｏｒｐｔｉｏｎ  ｉｏｎｉｚａｔｉｏｎ  ｔｉｍｅ−ｏｆ−ｆｌｉｇｈｔ  ｍａｓｓ  ｓｐｅｃｔｒｏｍｅｔｒｙ、ＭＡＬＤＩ−ＴＯＦ／ＭＳ）、表面増強レーザーイオン化質量分析（ｓｕｒｆａｃｅ  ｅｎｈａｎｃｅｄ  ｌａｓｅｒ  ｄｅｓｏｒｐｔｉｏｎ  ｉｏｎｉｚａｔｉｏｎ  ｍａｓｓ  ｓｐｅｃｔｒｏｍｅｔｒｙ、ＳＥＬＤＩ−ＭＳ）等により行うことができる。
【００３４】
＜２＞本発明の腎癌を検出するための試薬
本発明の試薬を前述したサンドイッチ法に利用する場合は、前記抗体としてエピトープの異なる２種類の抗体を含むことが好ましい。
本発明の試薬に含まれる抗体は、抗体そのものであってもよく、標識されていてもよく、固相に固定化されていてもよい。
【００３５】
本発明の試薬のうち、前述したサンドイッチ法の一態様である２ステップサンドイッチ法に利用する場合について、以下に具体的に説明する。ただし、本発明はこれに限定されるものではない。
まず、本発明の試薬は、以下の（Ｉ）から（ＩＩＩ）に示す方法で作製することができる。
（Ｉ）まず、サンドイッチ法で用いる、ＴＦＰＩ２を認識する、エピトープの異なる２種類の抗体（以下、「抗体１」及び「抗体２」とする）のうち、抗体１をイムノプレートや磁性粒子等のＢ／Ｆ（Ｂｏｕｎｄ／Ｆｒｅｅ）分離可能な担体に結合させる。結合方法は、疎水結合を利用した物理的結合であってもよいし、２物質間を架橋可能なリンカー試薬などを用いた化学的結合であってもよい。
【００３６】
（ＩＩ）担体に前記抗体１を結合させた後、非特異的結合を避けるため、担体表面を牛血清アルブミン、スキムミルク、市販のイムノアッセイ用ブロッキング剤などでブロッキング処理を行ない１次試薬とする。
（ＩＩＩ）他方の抗体２を標識し、得られた標識抗体を含む溶液を２次試薬として準備する。抗体２に標識する物質としては、ペルオキシダーゼ、アルカリ性ホスファターゼといった酵素、蛍光物質、化学発光物質、ラジオアイソトープなどの検出装置で検出可能な物質、又はビオチンに対するアビジンなど特異的に結合する相手が存在する物質等が好ましい。また、２次試薬の溶液としては、抗原抗体反応が良好に行える緩衝液、例えばリン酸緩衝液、Ｔｒｉｓ−ＨＣｌ緩衝液などが好ましい。このようにして作製した本発明の試薬は必要に応じ凍結乾燥させてもよい。
【００３７】
なお、１ステップサンドイッチ法の場合は、前述した（Ｉ）〜（ＩＩ）同様に担体に抗体１を結合させブロッキング処理を行なったものを作製し、前記抗体固定化担体に、標識した抗体２を含む緩衝液をさらに添加して試薬を作製すればよい。
【００３８】
次に、前述した方法で得られた試薬を用いて、２ステップサンドイッチ法でＴＦＰＩ２を検出し測定するには、以下の（ＩＶ）から（ＶＩ）に示す方法で行なえばよい。
（ＩＶ）（ＩＩ）で作製した１次試薬と検体とを一定時間、一定温度のもと接触させる。反応条件は、温度４℃から４０℃の範囲で、５分から１８０分間反応させればよい。
（Ｖ）未反応物質をＢ／Ｆ分離により除去し、続いて（ＩＩＩ）で作製した２次試薬と一定時間、一定温度のもと接触させ、サンドイッチ複合体を形成させる。反応条件は、温度４℃から４０℃の範囲で、５分から１８０分間反応させればよい。
【００３９】
（ＶＩ）未反応物質をＢ／Ｆ分離により除去し、標識抗体の標識物質を定量し、既知濃度のＴＦＰＩ２溶液を標準とし作成した検量線により、検体中のヒトＴＦＰＩ２を定量する。
本発明の試薬に含まれる抗体等の試薬成分の量は、検体量、検体の種類、試薬の種類、測定の手法等の諸条件に応じて適宜設定すればよい。具体的には、例えば、後述するように検体として血清や血漿を２０μＬ使用して、サンドイッチ法によりＴＦＰＩ２量の測定を行う場合、当該検体２０μＬを抗体と反応させる反応系当たり、担体へ結合させる抗体量が１００ｎｇから１０００μｇであってよく、標識抗体量が２ｎｇから２０μｇであってよい。
【００４０】
本発明の試薬は、用手法での測定にも利用可能であり、自動免疫診断装置を用いた測定にも利用可能である。特に自動免疫診断装置を用いた測定は、検体中に含まれる内在性の測定妨害因子や競合酵素の影響を受けることなく測定が可能で、かつ短時間に検体中のＴＦＰＩ２が定量可能であるため、好ましい。
【００４１】
本発明の腎癌を検出する方法は、腎癌を治療する方法に適用することができる。
すなわち、本発明により、被験体における腎癌を治療する方法であって、
（ｉ）ＴＦＰＩ２量の測定値が予め設定した基準値を超えるものとして被験体の同定を受ける工程、及び
（ｉｉ）ＴＦＰＩ２量の測定値が予め設定した基準値を超えるものとして同定された前記被験体に対して、治療を施す工程を含む、方法が提供される。
前記腎癌を治療する方法の好ましい態様において、前記ＴＦＰＩ２量は、ＴＦＰＩ２プロセシングポリペプチド量及びインタクトＴＦＰＩ２量の合計である。
また、前記工程（ｉ）の同定において、ＴＦＰＩ２量の測定は、好ましくは、配列番号１のアミノ酸配列の２３残基目のアスパラギン酸から１３１残基目のヒスチジン又は１３０残基目のシステインまでの領域内の抗原決定基に結合する抗体を用いた抗原抗体反応により行われる。より好ましくは、前記抗体は、ＴＦＰＩ２のクニッツドメイン１を認識する抗体である。
また、前記工程（ｉ）の同定において、ＴＦＰＩ２量の測定は、質量分析法を用いて行われてもよい。
前記工程（ｉｉ）の治療としては、外科的切除、薬物療法、放射線療法等が挙げられ、前記薬物としてはチロシンキナーゼ阻害剤、ｍＴＯＲ阻害剤、免疫チェックポイント阻害剤等が挙げられるが特に限定されない。
【実施例】
【００４２】
以下に本発明を具体的に説明するために実施例を示すが、これら実施例は本発明の一例を示すものであり、本発明は実施例に限定されるものではない。【００４３】
＜実施例１＞  ＴＦＰＩ２測定試薬の調製
特許文献３の方法に従い、ＤＮＡ免疫法により得られたＴＦＰＩ２抗体を用いてＴＦＰＩ２測定試薬を以下の通り調製した。【００４４】
（１）水不溶性フェライト担体に抗ＴＦＰＩ２モノクローナル抗体（ＴＳ−ＴＦ０４）を１００ｎｇ／担体になるように室温にて一昼夜物理的に吸着させ、その後１％ＢＳＡを含む１００ｍＭトリス緩衝液（ｐＨ８．０）にて５３℃・４時間ブロッキングを行なうことで、抗ＴＦＰＩ２抗体固定化担体を調製した。
（２）抗ＴＦＰＩ２モノクローナル抗体（ＴＳ−ＴＦ０１）をアルカリフォスファターゼ標識キット（同仁化学社製）にて、アルカリフォスファターゼ標識抗ＴＦＰＩ２抗体を調製した。
（３）磁力透過性の容器（容量１．２ｍＬ）に、（１）で調製した１２個の抗体固定化担体を入れた後、（２）で調製したアルカリフォスファターゼ標識抗体を１μｇ／ｍＬ含む緩衝液（３％ＢＳＡを含むトリス緩衝液、ｐＨ８．０）１００μＬを添加し、凍結乾燥を実施することで、ＴＦＰＩ２測定試薬を作製した。なお、作製したＴＦＰＩ２測定試薬は窒素充填下にて密閉封印シールを施し、測定まで４℃で保管した。【００４５】
＜実施例２＞  腎癌含む各種細胞培養上清の評価
正常細胞としてヒト胎児腎由来の２９３Ｔ細胞、腎癌細胞としてＣＡＫＩ１、ＡＣＨＮ及び７８６−Ｏ細胞を常法に従い３７℃で３日間培養し、各種培養上清を回収した後に細胞数を計測した。培地のみと各種培養上清２０μＬを実施例１で調製したＴＦＰＩ２測定試薬で評価した。評価用装置は全自動エンザイムイムノアッセイ装置ＡＩＡ−２０００（東ソー社製：製造販売届出番号１３Ｂ３Ｘ９０００２０００００９）を用いた。全自動エンザイムイムノアッセイ装置ＡＩＡ−２０００によるＴＦＰＩ２の測定は、以下の手順で行った。【００４６】
（１）サンプル２０μＬと界面活性剤を含む希釈液８０μＬを、実施例１で作製したＴＦＰＩ２測定試薬を収容した容器に自動で分注し、
（２）３７℃恒温下で１０分間の抗原抗体反応を行ない、
（３）Ｂ／Ｆ分離後、界面活性剤を含む緩衝液にて８回の洗浄を行ない、
（４）４−メチルウンベリフェリルリン酸塩を添加し、
単位時間当たりのアルカリフォスファターゼによる４−メチルウンベリフェロン生成濃度をもって測定値（ＴＦＰＩ２  ｉｎｔｅｎｓｉｔｙ、ｎｍｏｌ／（Ｌ・ｓ））とした。
評価結果を図１に示す。ＴＦＰＩ２は２９３Ｔ細胞と比較して３種の腎癌細胞培養上清にて明瞭に高値を示し、腎癌細胞が培養上清中にＴＦＰＩ２を分泌していることが明らかとなった。【００４７】
＜実施例３＞臨床検体の評価
以下の実施例で使用した臨床検体を表１に示す。腎癌血漿２１例は横浜市立大学泌尿器科にて同一プロトコルにて収集された検体であり、インフォームドコンセントの承諾及び横浜市立大学倫理委員会の承認を受けて提供された。健常人血漿４９例はビジコムジャパン社から購入した。
実施例２記載の方法で臨床検体を測定し、市販ＴＦＰＩ２組み換えタンパク（Ｒ＆Ｄ社）を標準品として検量線を作成し、検体中のＴＦＰＩ２濃度を算出した。【００４８】
【表１】
2019142636.tif 000003
【００４９】
ＴＦＰＩ２測定結果のＢｏｘＰｌｏｔを図２に示す。ＴＦＰＩ２は健常人と比較して腎癌では統計的有意差を持って高値を示すことが明らかとなった（マン＝ホイットニーのＵ検定、ｐ＜０．０００１）。【００５０】
ＲＯＣ解析結果を図３に示す。曲線下面積（ＡＵＣ）は０．８５５２であり、ＴＦＰＩ２は良好な腎癌検出性能を有することが示された。さらに、Ｙｏｕｄｅｎ  Ｉｎｄｅｘ（（感度＋特異度）−１００）に基づいてＹｏｕｄｅｎ  Ｉｎｄｅｘ最大値をＴＦＰＩ２カットオフ値と設定した。ＴＦＰＩ２のカットオフ値を２１９ ｐｇ／ｍＬとした場合、感度８５．７％特異度７５．５％となり、良好な腎癌検出性能を有することが示された。【００５１】
＜実施例４＞  組織学的悪性度とＴＦＰＩ２の関連
腎癌検体群を組織学的悪性度（グレード：Ｇ）で分類し、各群のＴＦＰＩ２測定値のＢｏｘＰｌｏｔを図４に示す。ＴＦＰＩ２は低グレードであるグレード２と高グレードである３及び４で有意差は認められなかった。本結果より、ＴＦＰＩ２は組織学的悪性度との関連性はなく、腎癌の初期であってもＴＦＰＩ２の発現が向上していることが示唆された。【００５２】
＜実施例５＞  腫瘍直径とＴＦＰＩ２の相関解析
腎癌腫瘍直径とＴＦＰＩ２の相関を解析した結果を図５に示す。ＴＦＰＩ２と腫瘍直径は低い正の相関は認められたものの、統計学的な有意差は認められなかった（スピアマン順位相関係数、ｒ＝０．２７、ｐ＝０．２３６５）。【００５３】
＜実施例６＞  癌転移とＴＦＰＩ２の関連
腎癌検体群を転移の有無で２群に分類し、各群のＴＦＰＩ２測定値のＢｏｘＰｌｏｔを図６に示す。２群間のＴＦＰＩ２測定値に統計的有意差は認められず（マン＝ホイットニーのＵ検定、ｐ＝０．５９０６）、ＴＦＰＩ２と転移に明瞭な関係性は認められなかった。【００５４】
＜実施例７＞日本人健常人におけるＴＦＰＩ２基準値および参考基準範囲の算出
男性健常人血清１０２例はインフォームドコンセントの承諾を受けて収集された社内ボランティア検体であり、女性健常人血清１２０例は横浜市大にてインフォームドコンセントの承諾及び横浜市立大学倫理委員会の承認を受けて提供された。実施例３に記載した方法でＴＦＰＩ２を測定し、ＴＦＰＩ２の健常人基準値（例として中央値＋２ＳＤ）およびＣＬＳＩガイドラインＥＰ２８−Ａ３に従って健常人参考基準範囲を算出した。
ＴＦＰＩ２測定結果のＢｏｘＰｌｏｔを図７に、健常人から算出した基準値および参考基準範囲を表２に示す。本検討の結果、日本人健常人においてＴＦＰＩ２測定値に性差はなく、健常人の中央値＋２ＳＤから算出したＴＦＰＩ２の基準値は２００ｐｇ／ｍＬとなった。【００５５】
【表２】
2019142636.tif 000004
【００５６】
＜実施例８＞臨床検体の評価
腎癌血清５２例(淡明細胞癌：４０例、乳頭状癌：４例、その他腎癌：８例)は横浜市立大学泌尿器科にて同一プロトコルにて収集された検体であり、インフォームドコンセントの承諾及び横浜市立大学倫理委員会の承認を受けて提供された。
実施例３記載の方法でＴＦＰＩ２を測定し、実施例７記載の健常人ＴＦＰＩ２測定値を用いて腎癌検出性能を評価した。
図８は、ＴＦＰＩ２測定値をＢｏｘＰｌｏｔにて示した結果である。ＴＦＰＩ２は腎癌組織型において淡明細胞癌および乳頭状癌で高値傾向を示し、その他に区分した組織型でも一部で高値を示した。
図９は、健常人と腎癌患者を比較した際のＲＯＣ曲線解析結果である。曲線下面積（ＡＵＣ）は０．７９であり、ＴＦＰＩ２は良好な腎癌検出性能を有することが示された。Ｙｏｕｄｅｎ  Ｉｎｄｅｘ（（感度＋特異度）−１００）に基づいて、Ｙｏｕｄｅｎ  Ｉｎｄｅｘ最大値である１８９ｐｇ／ｍＬを基準値とした場合、腎がん患者と健常人との識別性能は、感度５９．６％、特異度９４．６％であった。
以上の結果より、実施例３に示す血漿と同様に、血清においてもＴＦＰＩ２は適した基準値を設定することで、良好な腎癌検出性能を有することが示された。
【産業上の利用可能性】
【００５７】
本発明により、簡便かつ患者負担が比較的少ない血液検査で腎癌患者を検出する方法が提供される。これは、有効な腫瘍マーカーが存在せず画像診断に依存している腎癌診療への貢献が期待され、産業上非常に有用である。
【図１】
2019142636.tif 000005
【図２】
2019142636.tif 000006
【図３】
2019142636.tif 000007
【図４】
2019142636.tif 000008
【図５】
2019142636.tif 000009
【図６】
2019142636.tif 000010
【図７】
2019142636.tif 000011
【図８】
2019142636.tif 000012
【図９】
2019142636.tif 000013
【配列表】
2019142636000001.app
【国際調査報告】
2019142636.tif 000014
2019142636.tif 000015
2019142636.tif 000016
2019142636.tif 000017